(57)【要約】【課題】Ｈ．２６４方式で符号化された複数のフレームからなる映像ＰＥＳが挿入されたＭＰＥＧ２−ＴＳをデコードしスムーズな早送り再生を容易に実現する。【解決手段】本発明のコンテンツ処理装置１は、チューナ３及びＴＳパケットＰＥＳ変換部５を備える。チューナ３は、複数のフレームからなる映像ＰＥＳが挿入されたＭＰＥＧ２−ＴＳを受信する。ＴＳパケットＰＥＳ変換部５は、ＭＰＥＧ２−ＴＳ中の映像ＰＥＳを、ＩＤＲピクチャのみを有する第１の分割映像ＰＥＳとｎｏｎＩＤＲピクチャを含む第２の分割映像ＰＥＳとに分割し、第１及び第２の分割映像ＰＥＳに対してアダプテーションフィールド及びスタッフィングを挿入する。早送り再生時、第１の分割映像ＰＥＳを含むＴＳパケットは、ＴＳ抽出部９により抽出された後、デコードされる。【選択図】図１
2008011404.tif 000002
【特許請求の範囲】
【請求項１】
フレーム内符号化により得られた第１のピクチャとフレーム間符号化により得られた第２のピクチャとを有する映像パケットが挿入されたコンテンツを取得するコンテンツ取得部と、
前記コンテンツ取得部により取得された前記コンテンツ中の前記映像パケットを、前記第１のピクチャを有する第１の分割映像パケットと前記第２のピクチャを含む第２の分割映像パケットとに分割するパケット分割部と、
前記パケット分割部により分割された前記第１及び第２の分割映像パケットに対し、アダプテーションフィールド及びスタッフィングを挿入するパケット調整部と
を具備することを特徴とするコンテンツ処理装置。
【請求項２】
前記パケット調整部により前記アダプテーションフィールド及び前記スタッフィングが挿入された第１の分割映像パケットを抽出するパケット抽出部と、
前記パケット抽出部により抽出された第１の分割映像パケットをデコードする映像デコード部と
をさらに具備することを特徴とする請求項１記載のコンテンツ処理装置。
【請求項３】
前記パケット調整部は、前記第１の分割映像パケットの最後尾が前記第１のピクチャで終了し且つ分割前後のパケット上で前記第２のピクチャの位置が同じになるように、前記アダプテーションフィールド及び前記スタッフィングを挿入することを特徴とする請求項１又は２記載のコンテンツ処理装置。
【請求項４】
前記コンテンツは、Ｈ．２６４方式で圧縮符号化されたエレメンタリストリームを伝送用にパケット化したトランスポートストリームであることを特徴とする請求項１ないし３のいずれか１項に記載のコンテンツ処理装置。
【請求項５】
フレーム内符号化により得られた第１のピクチャとフレーム間符号化により得られた第２のピクチャとを有する映像パケットが挿入されたコンテンツを取得するコンテンツ取得ステップと、
前記コンテンツ取得ステップで取得された前記コンテンツ中の前記映像パケットを、前記第１のピクチャを有する第１の分割映像パケットと前記第２のピクチャを含む第２の分割映像パケットとに分割するパケット分割ステップと、
前記パケット分割ステップで分割された前記第１及び第２の分割映像パケットに対し、アダプテーションフィールド及びスタッフィングを挿入するパケット調整ステップと
を有することを特徴とするコンテンツ処理方法。
【発明の詳細な説明】
【技術分野】
【０００１】
本発明は、デジタル放送の送信用として圧縮符号化されたトランスポートストリームなどのコンテンツを処理するコンテンツ処理装置及びコンテンツ処理方法に関する。
【背景技術】
【０００２】
デジタル放送における映像符号化方式は、ＡＲＩＢ標準規格（ARIB STD-B32）によって規定されている。例えば、ＭＰＥＧ２方式で符号化された映像データのＰＥＳ（Packetized Elementary Stream）は、１フレーム分の映像データで構成される。
【０００３】
ＭＰＥＧ２で符号化されたデータを通常再生する場合、映像デコーダは、ＰＥＳ単位でデコードを行い、ＰＥＳ先頭に記載されるＰＴＳ（Presentation Time Stamp）に示された時間情報に基づいて、映像データを出力する。一方、早送り再生の場合、映像デコーダは、Ｉピクチャと呼ばれる映像フレームを含むＰＥＳを抽出してデコードを行い、映像データの早送り再生を実現する（例えば、特許文献１参照）。
【特許文献１】特開２００５−１９２０１３号公報
【発明の開示】
【発明が解決しようとする課題】
【０００４】
ところで、近年のモバイル放送やワンセグ放送（１セグメント放送）では、映像符号化方式としてＨ．２６４（ＭＰＥＧ４−ＡＶＣ）が採用されている。Ｈ．２６４は、ＭＰＥＧ２より高い圧縮性能を有しており、ＰＥＳ化する場合の圧縮効率を高めるために、一つの映像ＰＥＳに複数の映像フレームを挿入することが許容されている。ここで、Ｈ．２６４で符号化されたデータを基に早送り再生を行う場合、上述したＩピクチャに相当するＩＤＲ（Instantaneous Decoding Refresh）ピクチャが含まれるＰＥＳを抽出してデコード表示させることが必要となる。
【０００５】
しかしながら、単一のＰＥＳ内に、ＩＤＲピクチャを含む複数のフレームが挿入されている場合、ＩＤＲピクチャ以外の他のフレームも一緒にデコードされてしまうので、この結果、表示画像が間欠的に出力され、スムーズな早送り再生が実現されないことになる。
【０００６】
そこで、このような状況を回避するために、単一のＰＥＳ内の複数のフレームの中からＩＤＲピクチャのみを表示させる処理が必要になるが、この場合、ＩＤＲピクチャのみをデコードする機能を映像デコーダに追加するか、若しくは映像デコーダの出力からＩＤＲピクチャのみを抽出して表示させるという映像デコーダ後段での追加処理が必要となる。
【０００７】
本発明は、上記課題を解決するためになされたもので、複数のフレームからなる映像パケットが挿入されたコンテンツのスムーズな早送り再生を容易に実現することができるコンテンツ処理装置及びコンテンツ処理方法の提供を目的とする。
【課題を解決するための手段】
【０００８】
上記目的を達成するために、本発明のコンテンツ処理装置は、フレーム内符号化により得られた第１のピクチャとフレーム間符号化により得られた第２のピクチャとを有する映像パケットが挿入されたコンテンツを取得するコンテンツ取得部と、前記コンテンツ取得部により取得された前記コンテンツ中の前記映像パケットを、前記第１のピクチャを有する第１の分割映像パケットと前記第２のピクチャを含む第２の分割映像パケットとに分割するパケット分割部と、前記パケット分割部により分割された前記第１及び第２の分割映像パケットに対し、アダプテーションフィールド及びスタッフィングを挿入するパケット調整部とを具備することを特徴とする。
【０００９】
本発明では、フレーム内符号化された第１のピクチャを含む複数のフレームからなる映像パケットより、実質的に、第１のピクチャだけを備えた第１の分割映像パケットを取り出すことができる。したがって、本発明によれば、例えば映像デコーダの後段で早送り再生のための特別なデータ処理の追加や、映像デコーダ自体の機能の拡張などを行うことなく、映像パケットを分割して得た第１の分割映像パケットをデコードすることで、スムーズな早送り再生を実現することができる。
【００１０】
また、本発明に係るコンテンツ処理方法は、フレーム内符号化により得られた第１のピクチャとフレーム間符号化により得られた第２のピクチャとを有する映像パケットが挿入されたコンテンツを取得するコンテンツ取得ステップと、前記コンテンツ取得ステップで取得された前記コンテンツ中の前記映像パケットを、前記第１のピクチャを有する第１の分割映像パケットと前記第２のピクチャを含む第２の分割映像パケットとに分割するパケット分割ステップと、前記パケット分割ステップで分割された前記第１及び第２の分割映像パケットに対し、アダプテーションフィールド及びスタッフィングを挿入するパケット調整ステップとを有することを特徴とする。
【発明の効果】
【００１１】
このように本発明によれば、複数のフレームからなる映像パケットが挿入されたコンテンツのスムーズな早送り再生を容易に実現することが可能なコンテンツ処理装置及びコンテンツ処理方法を提供することができる。
【発明を実施するための最良の形態】
【００１２】
以下、本発明を実施するための最良の形態を図面に基づき説明する。
（第１の実施の形態）
図１は、本発明の第１の実施形態に係るコンテンツ処理装置の構成を機能的に示すブロック図である。
【００１３】
同図に示すように、本実施形態に係るコンテンツ処理装置１は、デジタル放送の伝送用に符号化されたコンテンツを記録再生するデジタル放送記録再生装置である。すなわち、コンテンツ処理装置１は、アンテナ２、チューナ３、ＭＰＥＧ２−ＴＳ分離部８、映像ＰＥＳ格納部１０、音声ＰＥＳ格納部１４、映像デコーダ１１、音声デコーダ１５、モニタ１２、スピーカ１６、記録再生制御部７、ＴＳパケットＰＥＳ変換部５、ＴＳ記録部６、ＴＳ抽出部９、スイッチ１７、１８、１９を備える。
【００１４】
チューナ３は、後に詳述するＭＰＥＧ２−ＴＳ（MPEG2-Transport Stream）を取得するコンテンツ取得部として機能するものであって、受信再生の場合、アンテナ２を介して受信した放送波をＭＰＥＧ２−ＴＳとして復調し、これをＭＰＥＧ２−ＴＳ分離部８に出力する。ＭＰＥＧ２−ＴＳ分離部８は、ＭＰＥＧ２−ＴＳを後述する映像ＰＥＳと音声ＰＥＳとに分離し、分離した各ＰＥＳを映像ＰＥＳ格納部１０と音声ＰＥＳ格納部１４とにそれぞれ格納する。
【００１５】
映像デコーダ１１及び音声デコーダ１５は、ＰＥＳ単位でデコード処理を行うものであって、映像ＰＥＳ格納部１０及び音声ＰＥＳ格納部１４側から入力した映像ＰＥＳ及び音声ＰＥＳをそれぞれデコードし、デコードした映像データ及び音声データをモニタ１２とスピーカ１６とに各々出力する。
【００１６】
ここで、上述したチューナ３が放送波を復調して得るＭＰＥＧ２−ＴＳの構造を図２〜図４に基づき説明する。前記の図２は、デジタルコンテンツとしてのＭＰＥＧ２−ＴＳ２０の構造を示す図であり、図３は、図２のＭＰＥＧ２−ＴＳ２０のＴＳヘッダ２１の構造を示す図である。また、図４は、図２のＭＰＥＧ２−ＴＳ２０に挿入されるＰＥＳ２４、２６の構造を詳細に示す図である。
【００１７】
図２に示すように、ＭＰＥＧ２−ＴＳ２０は、モバイル放送や１セグメント放送（ワンセグ放送）で採用されるデジタルコンテンツであって、ＡＲＩＢ標準規格に準拠するＨ．２６４（MPEG4-AVC）方式で圧縮符号化されたエレメンタリストリーム（ＥＳ： Elementary Stream）を伝送用にパケット化したトランスポートストリームである。ＭＰＥＧ２−ＴＳ２０は、１パケット１８８バイトのパケット列から構成されており、ＰＥＳヘッダ（PES header）２５、２７をそれぞれ備える映像ＰＥＳ（Packetized Elementary Stream）２４及び音声ＰＥＳ２６が各々分割されて格納された映像ペイロード（Payload）２２及び音声ペイロード２３と、ＴＳヘッダ（TS header）２１とを有する。
【００１８】
図３に示すように、ＴＳヘッダ２１は、同期バイト（sync byte）３１、ＰＩＤ（Packet Identifier）３２、アダプテーションフィールド制御（adaptation field control）３３、アダプテーションフィールド（adaptation field）３４などから構成される。同期バイト３１は、パケットの同期を取るための情報であり、ＴＳヘッダ２１の先頭を表すシーク用の８ビットのマーカとして機能し、その値が「0x47」で示される。つまり、ＭＰＥＧ２−ＴＳ２０は、１パケットが１８８バイトの固定長であるため、１８８バイトごとに「0x47」が出現することになる。
【００１９】
ＰＩＤ３２は、パケットの種別を示すパケット識別子であって、映像ＰＥＳ２４と音声ＰＥＳ２６とはそれぞれ異なる一意に決められたＰＩＤ値を持つ。つまり、ＭＰＥＧ２−ＴＳ２０は、映像ＰＥＳ２４、音声ＰＥＳ２６それぞれを、ＴＳパケット化しＴＳレイヤ（階層）で多重化を行うものであるが、ＴＳパケットのレイヤで、ＰＩＤにより各ＰＥＳを識別可能なので、ＴＳパケットのＰＩＤをチェックすれば、ＰＥＳを多重分離することが可能となる。ここで、ＰＩＤ値「0x1FFF」は、有効なデータを伝送しないヌル・パケット（Null Packet）を意味し、パケットのスタッフィング（パケットデータを一定長に保つために付加する内容のないバイト）を挿入する際に使用される。
【００２０】
アダプテーションフィールド制御３３は、２ビットのフラグにて、４バイト（固定長）のＴＳヘッダ２１に続いてアダプテーションフィールド３４が続くか否かを示すものである。すなわち、フラグ「０１」は、アダプテーションフィールドなしでペイロードのみが存在することを示し、「１０」は、アダプテーションフィールドのみがあり、ペイロードがないことを示す。また、「１１」は、アダプテーションフィールドに続きペイロードがある旨を表し、「００」は、リザーブ（予約）を示す。なお、本実施形態では、フラグの値「１１」が対応する態様を例示する。
【００２１】
ここで、アダプテーションフィールド３４の重要な構成要素として、スタッフィングバイトが挙げられる。スタッフィングバイトは、値「0xFF」を用い、アダプテーションフィールドに続くデータの長さの調整が必要な場合に使用される。
【００２２】
詳細には、アダプテーションフィールド３４は、アダプテーションフィールド長（adaptation field length）３３、ＰＣＲ（Program Clock Rreference）３７、ＰＣＲフラグ（PCR Flag）３６などで構成される。ＰＣＲフラグ３６は、ＭＰＥＧ２−ＴＳ２０のＴＳパケット内にＰＣＲ値が含まれることを示す。ＰＣＲ３７は、プログラム時刻基準値であり、２７ＭＨｚでカウントする時計の現在時刻を示す。つまり、ＭＰＥＧ２−ＴＳ２０は、ＰＣＲ３７を用いることで、受信機側のクロックを送信側のクロックに同期させる機能を有する。
【００２３】
また、図４に示すように、ＰＥＳ（映像ＰＥＳ／音声ＰＥＳ）２４、２６は、上述したＰＥＳヘッダ２５、２７とＰＥＳパケットデータバイト（PES Packet Data Byte）４３と称するＥＳ本体とから構成され、ＴＳパケット化される場合、ＰＥＳの先頭バイトが、ＴＳパケットの上記ペイロードの先頭バイトとなるようにパケット化される。
【００２４】
ＰＥＳヘッダ２５、２７は、パケット開始符号プリフィックス（Packet Start Code Prefix）３８、ストリームＩＤ（Stream Id）３９、ＰＥＳパケット長（PES Packet Length）４０、ＰＴＳ ＤＴＳフラグ（Pts_Dts Flags）４１、ＰＴＳ（Presentation Time Stamp）４２を有する。
【００２５】
パケット開始符号プリフィックス３８は、パケット開始符号の先頭２４ビットを示し、ストリームＩＤ３９と合わせた３２ビットでＰＥＳ２４、２６の先頭を示す開始符号となる。ストリームＩＤ３９は、ＰＥＳ２４、２６のデータの識別子である。ＰＥＳパケット長４０は、このフィールドより後からＰＥＳパケットの最終位置までのデータ長（ＰＥＳパケットのサイズ）を示す。ＰＴＳ４２は、同期用の提示時刻情報の値であって、ＥＳをデコード表示する開始時刻、及びＥＳを音としてデコード出力する開始時刻を示す時刻データである。
【００２６】
ＰＴＳ ＤＴＳフラグ４１は、ＰＴＳ、ＤＴＳ（Decoding Time Stamp：復号時刻情報）のフィールドの存在を示す２ビットのフラグであって、値「１０」でＰＴＳのみの存在を示し、値「１１」でＰＴＳとＤＴＳが存在することを示す。つまり、上記「１０」のように、ＰＴＳ ＤＴＳフラグ４１の値が、ＰＴＳの存在を示す場合、ＰＴＳフィールドが、ＰＥＳヘッダ中に存在することになる。
【００２７】
次に、本実施形態のコンテンツ処理装置１が備える、スムーズな早送り再生を実現するための機能について上述した図１〜図４に加え、図５〜図９に基づき説明を行う。ここで、図５は、複数のフレームからなる映像ＰＥＳとの比較のために例示された単一のフレームからなりＰＥＳヘッダ４６、４９を持つ映像ＰＥＳ４５、４８の構造を模式的に示す図であり、図６は、図２のＭＰＥＧ２−ＴＳに含まれる複数のフレームからなる映像ＰＥＳ５１の構造を模式的に示す図である。また、図７は、図５の複数のフレームからなる映像ＰＥＳ５１を分割して得た第１及び第２の分割映像ＰＥＳ５７、５８の構造を示す図であり、図８は、図７に示す第１及び第２の分割映像ＰＥＳ５７、５８への分割処理と分割された各ＰＥＳに対する調整処理とを説明するための図である。さらに、図９は、図８の分割処理及び調整処理を示すフローチャートである。
【００２８】
すなわち、コンテンツ処理装置１の上述したＴＳパケットＰＥＳ変換部５、ＴＳ記録部６、ＴＳ抽出部９、スイッチ１７、１８、１９、及び装置本体内の各部を統括的に制御する記録再生制御部７は、次のような機能を備える。記録再生制御部７は、所定の入力インタフェース（図示せず）を介してのユーザからの入力指示、つまり、受信データの再生要求、録画要求、録画データの通常再生要求、及び録画データの早送り再生要求を受け付けた場合、コンテンツ処理装置１本体の動作モードを、受信再生モード、録画モード、通常再生モード、及び早送り再生モードにそれぞれ切替える。
【００２９】
記録再生制御部７は、受信再生モードの場合、スイッチ１７を制御してチューナ３とＭＰＥＧ２−ＴＳ分離部８とを接続し、録画モードの場合、スイッチ１９を制御してチューナ３とＴＳパケットＰＥＳ変換部５とを接続する。また、通常再生モードの場合、スイッチ１７、１８を制御して、ＴＳ記録部６とＭＰＥＧ２−ＴＳ分離部８とを接続し、早送り再生モードの場合、スイッチ１７、１８を制御して、ＴＳ抽出部９とＭＰＥＧ２−ＴＳ分離部８とを接続する。
【００３０】
ここで、図５及び図６に示すように、Ｈ．２６４方式により符号化された映像データは、ＩＤＲピクチャ（Instantaneous Decoding Refresh picture）４７、５３と、ｎｏｎＩＤＲピクチャ５０、５４、５５とから構成される。ＩＤＲピクチャ４７、５３は、ＩＳＯ／ＩＥＣ １３８１８−２で規定されたＭＰＥＧ−２のＩピクチャに相当するフレーム内符号化により得られるデータ、すなわち、符号化対象の映像フレーム（原画面）だけを使って符号化した第１のピクチャである。一方、ｎｏｎＩＤＲピクチャ５０、５４、５５は、符号化対象の映像フレームの他に対象フレームの前又は後のフレームを用いるフレーム間符号化により得られた第２のピクチャである。したがって、ＩＤＲピクチャ４７、５３は、自身単体の情報でデコードできるものの、ｎｏｎＩＤＲピクチャ５０、５４、５５は、自身の情報に加え、ＩＤＲピクチャを参照して初めてデコードが可能となる。
【００３１】
また、Ｈ．２６４では、ＥＳをＰＥＳ化する場合の圧縮効率を高めるために一つの映像ＰＥＳに複数の映像フレームを挿入することが許容されているので、ＭＰＥＧ２−ＴＳ２０に挿入される映像ＰＥＳは、例えば図６に示す映像ＰＥＳ５１の構造を有する（図６の例では単一のＰＥＳが３つのフレームを有している）。このため、早送り再生を目的として、ＩＤＲピクチャ５３を含む映像ＰＥＳ５１を、単純にデコードした場合、ＩＤＲピクチャ５３に続くｎｏｎＩＤＲピクチャ５４、５５も一緒にデコードされてしまうので、スムーズな早送り再生を行うことが難しくなる。
【００３２】
そこで、録画モードの際に、ＴＳパケットＰＥＳ変換部５は、チューナ３により復調されたＭＰＥＧ２−ＴＳ２０中の映像ＰＥＳ５１を、ＴＳパケットのレイヤで、ＩＤＲピクチャ５３のみを有する第１の分割映像ＰＥＳ５７とｎｏｎＩＤＲピクチャ５４、５５を含む第２の分割映像ＰＥＳ５８とに分割し、分割した第１及び第２の分割映像ＰＥＳ５７、５８に対して、アダプテーションフィールド及びスタッフィングを挿入する。
【００３３】
つまり、図８及び図９に示すように、まず、チューナ３がアンテナ２を介して受信した放送波をＭＰＥＧ２−ＴＳとして復調すると（Ｓ１）、ＴＳパケットＰＥＳ変換部５は、ＩＤＲピクチャ５３とｎｏｎＩＤＲピクチャ５４、５５との切れ目になるパケット（図３の例ではｎｏｎＩＤＲピクチャ５４）を検索する（Ｓ２）。境界のパケットが検出されると（Ｓ３）、ＴＳパケットＰＥＳ変換部５は、その境界のパケットを基準として映像ＰＥＳ５１を、ＩＤＲピクチャ（図３の例ではＩＤＲピクチャ５３）の最後尾を含む第１の分割映像パケット（ＩＤＲピクチャのみを有する単一フレームからなる第１の分割映像ＰＥＳ５７）と、先頭のｎｏｎＩＤＲピクチャ５４を含む第２の分割映像パケット（第２の分割映像ＰＥＳ５８）とに分割する（Ｓ４）。
【００３４】
また、ＴＳパケットＰＥＳ変換部５は、第１の分割映像ＰＥＳ５７に対し、アダプテーションフィールドを追加してパケットの最後がＩＤＲピクチャの最後尾で終わるようにスタッフィングを挿入する（スタッフィングバイト「0xFF」を埋め込む）。さらに、ＴＳパケットＰＥＳ変換部５は、第２の分割映像ＰＥＳ５８に対し、ＰＥＳヘッダ（PES header1）５６の挿入後のｎｏｎＩＤＲピクチャ５４、５５のパケット上の位置が、分割前の映像ＰＥＳ５１のｎｏｎＩＤＲピクチャ５４、５５のパケット上の位置と同じになるように、アダプテーションフィールドとスタッフィングを挿入する（Ｓ５）。
【００３５】
また、ＩＤＲピクチャは必ずＰＥＳ先頭に配置される必要があるため、ＩＤＲピクチャを単一フレームとする上記第１の分割映像ＰＥＳ５７を生成するには、ＩＤＲピクチャの最後にＰＥＳヘッダ（ＰＥＳヘッダ５６）を追加すればよいことになる。追加するＰＥＳヘッダ（ＰＥＳヘッダ５６）には、図７に示すＰＴＳの値を正しく設定する必要がある。つまり、図７において、第１の分割映像ＰＥＳ５７のＰＥＳヘッダ５２中のＰＴＳと第２の分割映像ＰＥＳ５８のＰＥＳヘッダ５６中のＰＴＳ（ＰＴＳ１）との関係は、次式１で与えられる。
【００３６】
ＰＴＳ１＝ＰＴＳ＋映像１フレーム（ＩＤＲピクチャ５３）分の時間  …式１
【００３７】
したがって、ＴＳパケットＰＥＳ変換部５は、上記式１を満足するように、第２の分割映像ＰＥＳ５８のＰＥＳヘッダ５６中のＰＴＳ（ＰＴＳ１）の値を設定する。
【００３８】
また、ＴＳ記録部６は、例えばハードディスクやＤＶＤなどの書き替え可能な記憶媒体を有し、上記のようにアダプテーションフィールド及びスタッフィングを挿入された第１及び第２の分割映像ＰＥＳ５７、５８が挿入されたＴＳパケットを記憶する。さらに、ＴＳ抽出部９は、このようなＴＳパケットが記憶されたＴＳ記録部６から第１の分割映像ＰＥＳ５７を含むＴＳパケットだけを抽出する。
【００３９】
したがって、記録再生制御部７は、早送り再生モードの場合、単一フレームからなる第１の分割映像ＰＥＳ５７を含むＴＳパケットだけをＴＳ抽出部９を通じて抽出し、この抽出したデータをＭＰＥＧ２−ＴＳ分離部８及び映像ＰＥＳ格納部１０を介して映像デコーダ（ＰＥＳ単位でデコード処理を行うデコーダ）１１でデコードし、早送り画像をモニタ１２に表示出力させる。一方、通常再生モードの場合、記録再生制御部７は、第１及び第２の分割映像ＰＥＳ５７、５８の双方を取り出して、ＭＰＥＧ２−ＴＳ分離部８及び映像ＰＥＳ格納部１０を介して映像デコーダ１１でデコードし、通常の再生画像をモニタ１２に表示出力させる。
【００４０】
ここで、映像ＰＥＳ５１を分割する際に、図８に示すように、第１の分割映像ＰＥＳ５７の最後尾がＩＤＲピクチャ５３で終了し且つ分割前後のパケット（ＰＥＳ）上でのｎｏｎＩＤＲピクチャ５４、５５の位置が同じになるように、アダプテーションフィールド及びスタッフィングを挿入するパケットの調整処理が行われていることで、特別な機能を持たない簡易的な構成の映像デコーダにより第１及び第２の映像ＰＥＳ５７、５８を通常再生することができる。
【００４１】
既述したように、本実施形態に係るコンテンツ処理装置１によれば、フレーム内符号化されたＩＤＲピクチャを含む複数のフレームからなる映像ＰＥＳ５１より、ＩＤＲピクチャのみを有する第１の分割映像ＰＥＳ５７を含むＴＳパケットを取り出すことができる。したがって、コンテンツ処理装置１によれば、例えば映像デコーダの後段で早送り再生のための特別なデータ処理の追加や、映像デコーダ自体の機能の拡張などを行うことなく、映像ＰＥＳ５１を分割して得た第１の分割映像ＰＥＳ５７をデコードすることで、スムーズな早送り再生を実現することができる。
【００４２】
（第２の実施の形態）
次に、本発明の第２の実施形態を図１０に基づき説明する。ここで、図１０は、この実施形態に係るコンテンツ処理装置７０の構成を機能的に示すブロック図である。なお、図１０において、図１に示した第１の実施形態のコンテンツ処理装置１に設けられていたものと同一の構成要素については、同一の符号を付与しその説明を省略する。
【００４３】
この実施形態のコンテンツ処理装置７０は、図１０に示すように、第１の実施形態のコンテンツ処理装置１に設けられていた記録再生制御部７に代えて、記録再生制御部７３を備えるとともに、スイッチ７６が追加されている。また、コンテンツ処理装置７０は、ＴＳパケットＰＥＳ変換部５とＴＳ記録部６との前段、後段の配置関係が、コンテンツ処理装置１に対して逆転して配置されている。
【００４４】
すなわち、この実施形態のコンテンツ処理装置７０では、録画モードの場合、記録再生制御部７３は、ＴＳ記録部６とＴＳパケットＰＥＳ変換部５とが接続されないようにスイッチ７６を制御し、図６に示した複数のフレームからなる分割前の映像ＰＥＳ５１が挿入されたＭＰＥＧ２−ＴＳをそのままＴＳ記録部６に記録する。一方、早送り再生モードの場合、記録再生制御部７３は、ＴＳ記録部６とＴＳパケットＰＥＳ変換部５とが接続されるようにスイッチ７６を制御するとともに、映像ＰＥＳ５１を図７及び図８に例示したように、ＴＳパケットＰＥＳ変換部５を通じて第１の映像ＰＥＳ５７と第２の映像ＰＥＳ５８とに分割し、分割された第１の映像ＰＥＳ５７を含むＴＳパケットをＴＳ抽出部９を通じて抽出する。
【００４５】
したがって、この実施形態に係るコンテンツ処理装置７０によれば、早送り再生の要求を受けた時点ではじめて、複数のフレームからなる映像ＰＥＳ５１を分割するように構成されているので、録画時のデータ処理の効率化を図ることができる。また、この実施形態のコンテンツ処理装置７０においても、映像デコーダの機能の拡張などを行うことなく、スムーズな早送り再生を容易に実現することができる。
【００４６】
以上、本発明を各実施の形態により具体的に説明したが、本発明はこれらの実施形態にのみ限定されるものではなく、その要旨を逸脱しない範囲で種々変更可能である。上述した第１及び第２の実施形態のコンテンツ処理装置では、電気機器としての具体的な種別については例示しなかったが、本発明は、例えば１セグメント放送やモバイル放送などを受信可能な携帯電話や車載受像機などの移動体端末に適用した場合に有用である。また、上述した実施形態では、受信したコンテンツを記憶する機能と記憶したコンテンツを再生する機能との双方を備える記録再生装置を例示していたが、これに代えて、コンテンツを記憶可能な例えば可搬型の記憶媒体の読み出しなどに対応し、さらにＨＤＤなどの外部記憶装置（及び／又はチューナ）を持たない再生専用装置に本発明を適用してもよい。
【図面の簡単な説明】
【００４７】
【図１】本発明の第２の実施形態に係るコンテンツ処理装置の構成を機能的に示すブロック図。
【図２】図１のコンテンツ処理装置が受信するＭＰＥＧ２−ＴＳの構造を示す図。
【図３】図２のＭＰＥＧ２−ＴＳのＴＳヘッダの構造を示す図。
【図４】図２のＭＰＥＧ２−ＴＳに挿入されるＰＥＳの構造を詳細に示す図。
【図５】複数のフレームからなる映像ＰＥＳとの比較のために例示された単一のフレームからなる映像ＰＥＳの構造を模式的に示す図。
【図６】図２のＭＰＥＧ２−ＴＳに含まれる複数のフレームからなる映像ＰＥＳの構造を模式的に示す図。
【図７】図５の複数のフレームからなる映像ＰＥＳを分割して得た第１及び第２の分割映像ＰＥＳの構造を示す図。
【図８】図７に示す第１及び第２の分割映像ＰＥＳへの分割処理と分割された各ＰＥＳに対する調整処理とを説明するための図。
【図９】図８の分割処理及び調整処理を示すフローチャート。
【図１０】本発明の第２の実施形態に係るコンテンツ処理装置の構成を機能的に示すブロック図。
【符号の説明】
【００４８】
１，７０…コンテンツ処理装置、２…アンテナ、３…チューナ、５…ＴＳパケットＰＥＳ変換部、６…ＴＳ記録部、７，７３…記録再生制御部、９…ＴＳ抽出部、１１…映像デコーダ、１２…モニタ、２０…ＭＰＥＧ２−ＴＳ、２４，４５，４８，５１…映像ＰＥＳ、３４…アダプテーションフィールド、４７，５３…ＩＤＲピクチャ、５０，５４，５５…ｎｏｎＩＤＲピクチャ、５２，５６…ＰＥＳヘッダ、５７…第１の分割映像ＰＥＳ、５８…第２の分割映像ＰＥＳ。
【図１】
2008011404.tif 000003
【図２】
2008011404.tif 000004
【図３】
2008011404.tif 000005
【図４】
2008011404.tif 000006
【図５】
2008011404.tif 000007
【図６】
2008011404.tif 000008
【図７】
2008011404.tif 000009
【図８】
2008011404.tif 000010
【図９】
2008011404.tif 000011
【図１０】
2008011404.tif 000012